(57)【特許請求の範囲】
【請求項１】
液状物を充填する容器本体２の口部に、トリガースプレイヤー３が装着されたスプレー容器において、
上記トリガースプレイヤー３は、互いに連通する水平管路４及び垂直管路５が内部に設けられるとともに該水平管路４及び垂直管路５に液状物を供給するピストン・シリンダー機構１２が配設されたスプレイヤー本体６と、該スプレイヤー本体６に回動自在に装着されて上記ピストン・シリンダー機構１２を作動させるトリガー７と、上記水平管路４の前方部に装着された蓄圧エレメント８と、該蓄圧エレメント８の前方部に装着されたノズル部材９と、上記垂直管路５に装着されたインテイク１０と、該インテイク１０に装着されたチューブ１１とを備えており、
上記蓄圧エレメント８は、外部に通じる筒状壁部８ｆ内において液密摺動して上記ノズル部材９への液状物の通液を遮断する弁体８ａ、及び該弁体が先端部に取り付けられ且つ該筒状壁部内で液状物と非接触状態のコイルバネを備え、
前記弁体８ａの先端部は、上記コイルバネの付勢力でノズル部材９への液状物の挿通孔を遮断する先細形状に設けられ、
上記ピストン・シリンダー機構は、シリンダー内を往復摺動するピストン部材を前方に移動させるコイルバネが、該シリンダー内に液状物と非接触状態に配され、且つ、
上記スプレイヤー本体６及び上記インテイク１０は、上記シリンダーＳ内の液状物を容器本体２内に導いて残圧を除去する残圧除去用通液路１３、並びに上記容器本体２内に外気を導入する外気導入孔６ａ及び１０ａを有していることを特徴とするスプレー容器。
【請求項２】
上記蓄圧エレメント８は、水平方向の通液孔８ｂを有する基板部８ｃを境として、前方部に上記ノズル部材９との嵌着部８ｄ、後方部に上記水平管路４の先端部との嵌着部８ｅをそれぞれ備えており、上記筒状壁部は、上記嵌着部８ｄの内側において前方に突出している請求項１記載のスプレー容器。
【発明の詳細な説明】
【０００１】
【産業上の利用分野】
本発明は、衣料用仕上げ剤、衣料用糊剤等の液状物を噴出するスプレー容器に関する。
【０００２】
【従来の技術】
周知のように、容器本体の口部にトリガー式スプレイヤーが装着されたスプレー容器（トリガー式スプレー容器）には、トリガーを引いて、シリンダー内の空気を外に排出し、トリガーを戻した際に液状物内に浸したチューブを通じて該液状物を吸い上げ、上記シリンダー内に液状物を満たし、再びトリガーを引くことにより、該シリンダー内の液状物を押し出して垂直通液管路に導き、更に水平通液管路、スピンエレメントを通じて液状物の流れにスピンを与え、最後にノズルから噴出するタイプのものがある。
【０００３】
斯るスプレー容器は、衣料用仕上げ剤、衣料用糊剤、住宅用洗剤等の液状物を充填する容器として幅広く使用されている。
【０００４】
【発明が解決しようとする課題】
ところで、上記のようなスプレー容器は、一般に間欠的に使用される場合が多いが、スプレイヤーの水平通液管路内における液状物の液圧が低い状態でも、スピンエレメントを通じてノズルから液状物が噴出されるため、噴出初期と噴出後期の低圧時に液状物が霧状に飛散できず水塊となって滴り落ちてしまい、噴出むらが生じることがあった。この噴出むらは、住宅用液体洗剤等のように噴出後に拭き広げるものにおいてはさほど問題にならないが、衣料用仕上げ剤、衣料用糊剤のように衣料に吹き付けて、その後にアイロン掛け等の仕上げ等を行うものにおいては仕上むらとなる問題があった。
【０００５】
従って、本発明の目的は、衣料用仕上げ剤、衣料用糊剤、住宅用洗剤等の液状物を、滴り落ちを抑えて均一に噴出することができるスプレー容器を提供することにある。
【０００６】
【課題を解決するための手段】
本発明は、液状物を充填する容器本体２の口部に、トリガースプレイヤー３が装着されたスプレー容器において、
上記トリガースプレイヤー３は、互いに連通する水平管路４及び垂直管路５が内部に設けられるとともに該水平管路４及び垂直管路５に液状物を供給するピストン・シリンダー機構１２が配設されたスプレイヤー本体６と、該スプレイヤー本体６に回動自在に装着されて上記ピストン・シリンダー機構１２を作動させるトリガー７と、上記水平管路４の前方部に装着された蓄圧エレメント８と、該蓄圧エレメント８の前方部に装着されたノズル部材９と、上記垂直管路５に装着されたインテイク１０と、該インテイク１０に装着されたチューブ１１とを備えており、上記蓄圧エレメント８は、外部に通じる筒状壁部８ｆ内において液密摺動して上記ノズル部材９への液状物の通液を遮断する弁体８ａ、及び該弁体が先端部に取り付けられ且つ該筒状壁部内で液状物と非接触状態のコイルバネを備え、
前記弁体８ａの先端部は、上記コイルバネの付勢力でノズル部材９への液状物の挿通孔を遮断する先細形状に設けられ、上記ピストン・シリンダー機構は、シリンダー内を往復摺動するピストン部材を前方に移動させるコイルバネが、該シリンダー内に液状物と非接触状態に配され、且つ、上記スプレイヤー本体６及び上記インテイク１０は、上記シリンダーＳ内の液状物を容器本体２内に導いて残圧を除去する残圧除去用通液路１３、並びに上記容器本体２内に外気を導入する外気導入孔６ａ及び１０ａを有していることを特徴とするスプレー容器を提供することにより、上記目的を達成したものである。
【０００７】
【作用】
本発明の請求項１に記載のスプレー容器においては、容器本体を持って上記トリガーを操作し、上記ピストン・シリンダー機構を作動させ、容器本体内の液状物を上記チューブを通じて次第に上昇させ、上記シリンダー内に導く。トリガーの操作をさらに繰り返し、シリンダー内に導いた液状物を、上記垂直管路及び上記水平管路に導き、更に前方の蓄圧エレメントまで導く。ここまで達した液状物は、上記弁体によってノズル部材への通液が遮断されるが、液状物が水平管路内を満たした後、トリガーを引くと内圧が高められ、ある一定圧に達した後、噴霧される。トリガーの操作に伴って、容器本体内には、外気導入孔を通じて、外気が流入するので、容器本体が変形することはない。また、液状物の噴出後の残圧は、シリンダー内の液状物が残圧除去用通液路を通じて容器本体内に導かれることによって減圧される。この減圧と同時に、上記弁体がノズル部材への液状物の供給を遮断することによって、液状物の噴出が阻止される。この間、上記シリンダー内に配された上記コイルバネは、液状物との接触がないので、その腐食が防止される。
【０００８】
【実施例】
以下、本発明の実施例を添付図面を参照しながら詳細に説明する。
【０００９】
図１は、本発明に係るスプレー容器の一実施例を示したものである。図において、符号１はスプレー容器を示している。
【００１０】
図１に示したように、上記スプレー容器１は、液状物を充填する有底の容器本体２の口部に、上記液状物を噴出するトリガースプレイヤー（以下、単に「スプレイヤー」という）３が装着された構成とされている。
【００１１】
上記スプレイヤー３は、互いに連通する水平管路４及び垂直管路５を内部に有するスプレイヤー本体６と、スプレイヤー本体６に回動自在に装着されたトリガー７と、上記水平管路４の前方部に装着された蓄圧エレメント８と、この蓄圧エレメント８の前方部に装着されたノズル部材９と、上記垂直管路５に装着されたインテイク１０と、インテイクに装着されたチューブ１１とを備えている。
【００１２】
上記スプレイヤー本体６の上記水平管路４の下方部には、上記トリガー７によって作動するピストン・シリンダー機構１２が配設されている。
【００１３】
上記蓄圧エレメント８の前方部には、上記ノズル部材９への通液を遮断する、先端部が先細形状の弁体８ａが配設されている。
【００１４】
上記スプレイヤー本体６及び上記インテイク１０には、上記ピストン・シリンダー機構１２内の液状物を容器本体２内に導いて残圧を除去する残圧除去用通液路１３、及び上記容器本体２内に外気を導入する外気導入孔６ａ及び１０ａが設けられている。
【００１５】
上記スプレー容器１を更に詳しく説明すると、上記スプレイヤー本体６の前方部であって、上記水平管路４の先端部には、挿嵌部４ａが設けられており、この挿嵌部４ａに、蓄圧エレメント８が嵌着されている。そして、この蓄圧エレメント８の先端部に、ノズルチップ９ａを備えたノズル部材９が嵌着されている。
【００１６】
上記蓄圧エレメント８は、水平方向の通液孔８ｂを有する基板部８ｃを境として、前方部に、上記ノズル部材９との嵌着部８ｄを備えており、また、後方部に、上記水平管路４の先端部との嵌着部８ｅを備えている。上記基板部８ｃには、上記嵌着部８ｄの内側において前方に突出する筒壁部８ｆ、及びこの筒壁部８ｆの内側において前方に突出する係止突部８ｇが設けられている。また、基板部８ｃには、上記係止突部８ｇの下方位置において、上記筒壁部８ｆ内に通じる挿通孔８ｈが形成されている。
【００１７】
上記筒壁部８ｆ内には、先端部に上記弁体８ａが取り付けらたコイルバネ８ｉが、後端部を上記係止突部８ｇの周囲に係止させた状態で配設されている。上記嵌着部８ｄの内側には、前面部に水平方向の挿通孔８１を有する筒状部材８２が、嵌着固定されている。この筒状部材８２の挿通孔８１は、上記弁体８ａの前方位置に形成されている。そして、常態において、上記弁体８ａが上記コイルバネ８ｉの付勢力によって、上記挿通孔８１を塞ぐようになしてある。本実施例のスプレー容器においては、筒状壁部８ｆ内が上記通気孔８ｈによって外気に開放されているので、弁体８ａの液切れ性を高めるにあたっては、コイルバネ８ｉの弾性力のみを考慮すれば良い。すなわち、筒状壁部８ｆの断面積が小さくても挿入孔８１を閉鎖している力はコイルバネ８ｉの弾性力のみなので、液切れ性をよくするために弾性力の強いバネを選ぶことができる。
【００１８】
上記水平管路４の下方位置には、上記ピストン・シリンダー機構１２のシリンダーＳを構成する二重の筒状壁部１４、１５が設けられている。そして、この筒状壁部１５の下方位置に、上記外気導入孔６ａが形成されている。また、上記筒状壁部１５の後方部外周には、通液用の凹部１５ａが設けられている。更に、筒状壁部１５の内側には、後述するコイルバネ１８を配設するための密閉壁部１６が設けられている。
【００１９】
上記シリンダーＳ内には、当該シリンダーＳ内を往復摺動するピストン部材１７が配設されている。そして、このピストン部材１７と上記密閉壁部１６とで形成される空間にコイルバネ１８が配設されており、このコイルバネ１８の弾性力によって当該ピストン部材１７を前方に移動させるようになしてある。
【００２０】
また更に、密閉壁部１６の後方部下方には、上記ピストン部材１７、該密閉壁部１６及び上記筒状壁部１５で囲まれた空間Ｓ’と、上記垂直管路５とを連通させる連通孔６ｂが形成されている。
【００２１】
そして、上記ピストン部材１７の摺動部１７ａが、上記外気導入孔６ａより後方に移動したときに、該外気導入孔６ａ及び上記外気導入孔１０ａを通じて容器本体２内へ外気が流入し、また、上記摺動部１７ａが上記凹部１５ａまで移動したときに、上記シリンダーＳ内の液状物が、上記空間Ｓ’内に流入し、更に上記連通孔６ｂ及び後述するインテイク１０の溝１０ｉを通して容器本体２内に導かれ、蓄圧除去ができるようになしてある。
【００２２】
上記トリガー７は、上記スプレイヤー本体６の側壁部内側に回動自在に嵌着されている。このトリガー７の背面部には、上記ピストン部材１７の前端部に当接する押圧突起７ａが設けられており、トリガー７を回動操作することによって、上記ピストン部材１７が上記シリンダーＳ内を往復摺動できるようになしてある。
【００２３】
一方、上記スプレイヤー本体６の下方部には、上記垂直管路５の下端部を囲繞する二重の挿嵌壁部１９、２０が設けられており、これら挿嵌壁部１９、２０及び垂直管路５内に、上記インテイク１０が嵌着されている。
【００２４】
上記インテイク１０は、基板部１０ｂを境として、上方部に、上記挿嵌壁部２０に嵌着される嵌着壁部１０ｃと、上記垂直管路５及び挿嵌壁部１９に嵌着される管部１０ｄとを備えており、また、下方部に、スプレイヤー本体６を容器本体２の口部に装着したときに該口部に密嵌する嵌着壁部１０ｅと、上記管部１０ｄに連通し且つ上記チューブ１１の上端部が嵌着される管部１０ｆとを備えている。そして、上気嵌着壁部１０ｃの天板部に上記外気導入孔１０ａが形成されている。
【００２５】
上記管部１０ｄには、上記水平管路４及び上記シリンダーＳ内に連通する連通孔１０ｇ、１０ｈがそれぞれ形成されている。また、管部１０ｄの外周面の前面部下方には、上記通液孔６ｂに連通する上下方向の溝１０ｉが形成されている。ここで、この溝１０ｉ、上記凹部１５ａ、上記空間Ｓ及び上記連通孔６ｂは、上記残圧除去用の通液路１３を構成している。
【００２６】
管部１０ｄ内上方には、バルブ２１が配設されている。このバルブ２１は、そのフランジ部２１ａが支持壁部１０ｊで支持されており、水平管路４からの液状物の逆流を防ぐとともに、支持壁部１０ｊの下方における液圧が所望の圧力に高まったときに管部１０ｄと上記水平管路４とを連通させて該水平管路４に液状物を供給できるようになしてある。また、このバルブ２１の下方には、ボール弁体２２が配設されている。このボール弁体２２は、支持壁部１０ｋで支持されており、上記シリンダーＳ内からの液状体の逆流を防ぐとともに、支持壁部１０ｋの下方における液圧が所望の圧力に高まったときに液状物を上方に供給できるようになしてある。
【００２７】
インテイク１０の基板部１０ｂの上方には、上下方向の挿通孔を有するキャップ体２３が装着されており、このキャップ体２３の雌ねじ２３ａと、容器本体２の口部外周の雄ねじ（図示せず）とを螺合させることによって、上記スプレイヤー３を容器本体２に装着できるようになしてある。
【００２８】
上記スプレー容器１により液状物を噴射する場合には、まず、液状物を充填した容器本体２の口部に、上記スプレイヤー本体６を装着する。そして、容器本体２を持って上記トリガー７を片手で操作し、上記ピストン部材１７を上記シリンダーＳ内で往復摺動させ、容器本体２内の液状物を上記チューブ１１を通じて次第に上昇させ、さらに上記ボール弁体２２を押し上げさせて上記シリンダーＳ内に導く。
【００２９】
トリガー７の回動操作をさらに繰り返し、シリンダーＳ内に導いた液状物を、上記通液孔１０ｈを通じて更に上昇させる。そして、上記バルブ２１を押し上げさせ、上記水平管路４内に導き、更に前方の蓄圧エレメント８まで導く。ここまで達した液状物は、上記密閉壁部８２の挿通孔８１が上記弁体８ａによって塞がれているので、ノズル部材９への通液が遮断されるが、トリガー７の回動操作を更に繰り返し行なうと、水平管路４内の液状物の液圧が高められ、所望の圧力に達したときに、上記コイルバネ８ｉが収縮して弁体８ａが筒状壁部８ｆ内を液密摺動し、上記挿通孔８１が開放される。
【００３０】
そして、所望の液圧の液状物がノズル部材９に導かれ、上記ノズルチップ９ａを通じて外部に噴射される。トリガー７の操作に伴って、上記ピストン部材１７の摺動部１７ａが、上記外気導入孔６ａより後方に移動したときには、該外気導入孔６ａ及び上記外気導入孔１０ａを通じて、容器本体２内へ外気が流入するので、容器本体２が変形することはない。また、液状物の噴出後の残圧は、ピストン部材１７の摺動部１７ａが上記凹部１５ａに上に移動したときに、シリンダーＳ内の液状物が上記空間Ｓ’内に移動し、更に、残圧除去用通液路１３を通じて容器本体２内に導かれることによって減圧される。この減圧と同時に、上記コイルバネ８ｉが弾性復帰し、上記弁体８ａが上記挿通孔８１を塞いで液状物の噴出が阻止される。これら一連の操作において、上記各コイルバネ８ｉ、１８は、液状物との接触はなく、その腐食が防止される。
【００３１】
このように、本実施例に係るスプレー容器１によれば、スプレイヤー３の水平管路４の前方部に嵌着した蓄圧エレメントの前方部において、液状物の蓄圧を行い、その液圧が所望の圧力に達したときにノズル部材９から噴出させるようにしたので、従来のように液圧が低い状態で液状物を噴出することがない。又、噴出後の滴り落ちも残圧機構のため、発生しない。従って、衣料用仕上げ剤、衣料用糊剤、住宅用洗剤等の液状物を、滴り落ちを抑えて均一に噴出することができ、また、粘性が比較的高い液状物でも、均一に噴出させることができる。
【００３２】
また、コイルバネ８ｉ、１８がいずれも液状物と非接触であるので、コイルバネ８ｉ、１８の腐食や液状物の変質等を防ぐことができる。従って、液状物の組成に依らず使用することができる。
【００３３】
本発明に係るスプレー容器は、上記実施例に限定されるものではなく、本発明の目的を逸脱しない範囲において、その寸法、形状等を適宜変更することができる。
【００３４】
【発明の効果】
本発明に係るスプレー容器によれば、衣料用仕上げ剤、衣料用糊剤、住宅用洗剤等の液状物を、滴り落ちを抑えて均一に噴出することができる。また、上記シリンダー内に配された上記コイルバネの腐食を防止することができる。
【図面の簡単な説明】
【図１】本発明に係るスプレー容器の一実施例の要部を示す側断面図である。
【符号の説明】
１  スプレー容器
２  容器本体
３  トリガースプレイヤー
４  水平管路
５  垂直管路
６  スプレイヤー本体
６ａ  外気導入孔
７  トリガー
８  蓄圧エレメント
８ａ  弁体
９  ノズル部材
１０  インテイク
１０ａ  外気導入孔
１１  チューブ
１２  ピストン・シリンダー機構
１３  残圧除去用通液路
【図１】
0003739109.tif 000002